(57)【特許請求の範囲】
【請求項１】
支持脚と、支持脚に固定され得る細長部材と、細長部材上に支持され得るプラットホーム部材とを備えるプラットホームであって、
支持脚は、支持手段と、細長部材を支持手段に固定するための固定手段とを備え、
固定手段は、細長部材を支持手段に固定する固定位置と、細長部材が支持手段から外され得る非固定位置との間を移動自在であり、
固定手段は、該固定手段が固定位置にある際、プラットホーム部材に係合して該プラットホーム部材を細長部材上に保持し得るようになされた突出部を備えることを特徴とするプラットホーム。
【請求項２】
支持脚と、支持脚に固定され得る細長部材と、細長部材上に支持され得るプラットホーム部材と、細長部材及びプラットホーム部材を支持脚に固定するための固定手段とを備えるプラットホームであって、
固定手段は、細長部材を受け入れる成形部材を含み、
成形部材は、細長部材の周囲に延長する部分を有し、
固定手段は、ボルトを更に含み、
成形部材は、該成形部材に受け入れられた細長部材に係合する前記ボルトを受け入れるねじ孔をも規定し、
前記ボルトは、細長部材及びプラットホーム部材を支持脚に固定する固定位置と、細長部材及びプラットホーム部材が支持脚から外され得る非固定位置との間を移動自在であり、
前記ボルトは、第１ねじ部分と該第１ねじ部分から横断方向に伸長する第２部分とを備え、
第２部分は、細長部材上方において伸長する突出部を成し、かつ、該突出部は、ボルトが固定位置にある際、プラットホーム部材に係合して該プラットホーム部材を細長部材上に保持し得ることを特徴とするプラットホーム。
【請求項３】
前記突出部は細長く、かつ、固定手段が固定位置にある際、支持手段から横断方向に伸長する請求項１又は２に従うプラットホーム。
【請求項４】
前記固定手段は、細長部材を受け入れるようになされた実質上Ｕ字形状のＵ字形部材を含む請求項１、２又は３のいずれかに従うプラットホーム。
【請求項５】
前記Ｕ字形部材には、前記ボルトを受け入れ、該Ｕ字形部材内に受け入れた細長部材と係合させるねじ孔が設けられる請求項４に従うプラットホーム。
【請求項６】
前記ボルトは、第１ねじ部分と、第１ねじ部分から横断方向に伸長する第２部分とを有し、該第２部分が前記突出部を成す請求項５に従うプラットホーム。
【請求項７】
前記ボルトは実質上Ｌ字形状である請求項６に従うプラットホーム。
【請求項８】
前記プラットホーム部材の少なくとも一つには、その一側縁に孔が設けられ、前記突出部は、細長部材上にプラットホーム部材を保持するため、プラットホーム部材の該孔の一つに受け入れられ得る請求項１〜７のいずれかに従うプラットホーム。
【請求項９】
前記プラットホーム部材の少なくとも一つには、その上面にスリーブが設けられ、前記突出部は、細長部材上にプラットホーム部材を保持するため、該スリーブの一つに受け入れられ得る請求項１〜７のいずれかに従うプラットホーム。
【請求項１０】
前記Ｕ字形部材は、その端部が実質上平坦な面に取り付けられ、該平坦面は支持手段に取り付けられる請求項３〜９のいずれかに従うプラットホーム。
【請求項１１】
前記支持手段の一端部は、地面係合手段に取り付けられ、前記固定手段は、支持手段の他端部に取り付けられる請求項１〜10のいずれかに従うプラットホーム。
【請求項１２】
前記支持手段は、第１及び第２直立部材を備え、第１直立部材は、地面係合手段に取り付けられ、第２直立部材は、第１直立部材内を摺動可能であり、第２直立部材は、第１直立部材に対し、第２直立部材の長手に沿う所望数の位置のいずれかで錠止され得る請求項１〜10のいずれかに従うプラットホーム。
【請求項１３】
前記第１直立部材には一対の孔が設けられ、該対の孔は、互いに対向して配置されて、第２直立部材を所望位置に保持する保持部材が、第１直立部材を通って受け入れられる請求項12に従うプラットホーム。
【請求項１４】
前記保持部材はピンの形態である請求項13に従うプラットホーム。
【請求項１５】
前記第２直立部材には、実質上に縦に配置した複数組の孔が設けられ、各組の孔は互いに対向して配置され、保持部材が第２直立部材を貫通することを許容する請求項13〜15のいずれかに従うプラットホーム。
【請求項１６】
前記第１直立部材は矩形断面であり、前記第２直立部材は円形断面である請求項12〜15のいずれかに従うプラットホーム。
【請求項１７】
前記第１直立部材は、その上端領域が、半径方向内方へ折り曲げられている請求項16に従うプラットホーム。
【請求項１８】
使用時の支持脚を安定化させるため、安定化手段が設けられる請求項１〜17のいずれかに従うプラットホーム。
【請求項１９】
前記安定化手段は、支持手段の中央部分に取り付けられた第２固定手段から成る請求項18に従うプラットホーム。
【請求項２０】
前記安定化手段は、二つの前記第２固定手段を備え、両方の第２固定手段は、更なる細長部材をここに受け入れるため、互いに隣接配置される請求項19に従うプラットホーム。
【請求項２１】
互いに隣接配置された複数の前記プラットホーム部材を備え、各プラットホーム部材には、対応する孔と突起の形態の協同手段が設けられ、一つのプラットホーム部材の孔は、プラットホーム部材を共に保持するため、隣接するプラットホーム部材の突起と協同するようになされる請求項１〜20のいずれかに従うプラットホーム。
【請求項２２】
前記各プラットホーム部材には、その一側縁に沿う第１及び第２孔と、その他側縁に沿う第１及び第２突起とが設けられ、プラットホーム部材の該突起は、隣接するプラットホーム部材の孔に受け入れられるようになされる請求項21に従うプラットホーム。
【請求項２３】
請求項１又は２において定義されたプラットホームに使用する支持脚であって、前記支持手段及び突出部を備えることを特徴とする支持脚。
【請求項２４】
階段において使用するためのプラットホームであって、
複数の支持組立体と、第１及び第２細長部材と、複数のプラットホーム部材とを備え、
各支持組立体は、支持手段と、細長部材を支持手段に固定するための固定手段とを含み、
細長部材が支持手段に固定される際、プラットホーム部材は、プラットホームの少なくとも一部を形成するため、細長部材上に支持され得、
固定手段は、細長部材を支持手段に固定する固定位置と、細長部材が支持手段から外され得る非固定位置との間を移動可能であり、
各支持組立体は、そこから支持手段が伸長する段係合部材を含み、
段係合部材は、第１及び第２端部を有し、第１端部は階段に係合するようになされ、
支持組立体は、段係合部材を、その第１端部から離隔した位置で支持するため、段係合部材に調節自在に固定されるようになされた支柱を更に含むことを特徴とするプラットホーム。
【請求項２５】
前記支持手段は、第１及び第２端部の中間位置で段係合手段から延長する請求項24に従う支持組立体。
【請求項２６】
前記支持手段は、第１端部に近い位置で段係合手段から延長する請求項25に従う支持組立体。
【請求項２７】
前記段係合部材の第２端部には、これに支柱を固定する第２固定手段が設けられ、該第２固定手段は、支柱を受け入れるようになされる請求項24〜26のいずれかに従う支持組立体。
【請求項２８】
安定化部材の形態の第３細長部材を支持手段に固定するための第３固定手段を備え、該安定化部材は、支持組立体から隣接する同様の支持組立体へと延長し得る請求項24〜27のいずれかに従う支持組立体。
【請求項２９】
前記第３固定手段の二つはプレートに取り付けられる請求項28に従う支持組立体。
【請求項３０】
ブレーシング部材が前記支持手段に固定され、該ブレーシング部材は、支持手段から段階まで伸長するように適合される請求項24〜29のいずれかに従う支持組立体。
【請求項３１】
前記ブレーシング部材は細長く、かつ、第４固定手段によって前記直立部材に固定され、該第４固定手段は、ブレーシング部材が直立部材から10度〜80度の角度で伸長することを可能にするように角度付けられる請求項30に従う支持組立体。
【請求項３２】
前記固定手段と第２、第３及び第４固定手段は、適切な前記細長部材を受け入れるようになされ、かつ、Ｕ字形構造である請求項24〜31に従う支持組立体。
【請求項３３】
前記各固定手段のＵ字形部材には、ボルトを受け入れるねじ孔が設けられ、該ボルトは、実質上Ｌ字形状であり、かつ、細長部材と係合するようになされる請求項32に従う支持組立体。
【請求項３４】
前記支持手段は、第１及び第２直立部材を備え、第１直立部材は、段係合部材に取り付けられ、第２直立部材は、第１直立部材内を摺動可能であり、第２直立部材は、第１支持部材に対し、第２直立部材の長手に沿う所望数の位置のいずれか一つに錠止され得る請求項24〜32のいずれかに従う支持組立体。
【請求項３５】
請求項24〜34のいずれかにおいて請求されたプラットホームの形成に使用する支持組立体であって、該支持組立体は、支持手段と、該支持手段に細長部材を固定するための固定手段とを備えると共に、そこから支持手段が伸長する段係合部材を含み、該段係合部材は、第１及び第２端部を有し、第１端部は階段に係合するようになされ、該支持組立体は、段係合部材を、その第１端部から離隔した位置で支持するため、段係合部材に調節自在に固定されるようになされた支柱を更に含む支持組立体。
【発明の詳細な説明】
技術分野
本発明は、支持脚に関する。
技術背景
左官業者や建築業者には、しばしば、例えば天井等に手を届かせるために何らかの形態のプラットホームを必要とする。
この目的のためにいろいろな形態のプラットホームが使用されており、例えば、作業者がその上に立つことができるトレッスル（架台）を使用したり、あるいはトレッスルを利用できない場合には、例えば木枠や木の板材を用いて間に合わせのプラットホームを組み立てることができる。しかしながら、そのような構造は、不安定で、強度に欠けるので満足なものではない。
発明の開示
本発明の目的は、従来技術のこれらの欠点を解消又は軽減することにある。
本発明の一側面によれば、直立部材と、細長部材を該直立部材に固定するための固定手段とから成り、細長部材を該直立部材に固定すれば、プラットホームの少くとも一部分を画定するためのプラットホーム部材を該細長部材上に支持することができるようになされており、該固定手段は、前記細長部材を直立部材に固定するための固定位置と、細長部材を該直立部材から外すことを許す非固定位置との間で移動自在であることを特徴とするプラットホームが提供される。
前記固定手段は、それが前記固定位置にもたらされたときプラットホーム部材に係合してプラットホーム部材を前記細長部材上に保持するようになされた突出部材から成るものであることが好ましい。この突出部材は、細長い部材とし、固定手段が固定位置にもたらされたとき前記直立部材から横断方向に突出させることができるようになされている。
前記固定手段は、前記細長部材を受容するように構成することが好ましく、細長部材の一端部分を受容するようにＵ字形部材の形とすることができる。例えば、このＵ字形部材は、実質的に断面円筒形の細長部材を受容するように湾曲した形状とすることができる。あるいは、このＵ字形部材のＵ字形は、実質的に正方形又は長方形の断面形状を有する細長部材を受容するように正方形又は長方形とすることもできる。
Ｕ字形部材には、該Ｕ字形部材に受容された前記細長部材に係合して該細長部材を固定するためのボルトと螺合するねじ孔を形成することができる。このボルトは、第１ねじ付き部分と、第１ねじ付き部分から横断方向に延長した第２部分を有する形状とし、第２部分が前記突出部材を構成するようにすることができる。このボルトは、実質的にＬ字形であることが好ましい。
本発明は、例えば断面円筒形又は長方形のバーの形の細長部材と組み合わせて使用するのに特に適している。
プラットホーム部材の少くとも１つの一方の側縁には、前記突出部材を受容することができる複数の孔を形成し、該突出部材をプラットホーム部材の該孔に挿入することによってプラットホーム部材を前記細長部材上に保持することができるように構成することができる。あるいは別法として、プラットホーム部材の少くとも１つ上面に、前記突出部材を受容することができる複数のスリーブを付設し、該突出部材をプラットホーム部材の該スリーブに挿入することによってプラットホーム部材を前記細長部材上に保持することができるように構成することができる。
前記Ｕ字形部材は、その両端を好ましくは溶接によって実質的に平坦なプレートに取り付けることができ、その平坦プレートをやはり好ましくは溶接によって前記直立部材に取り付けることができる。
前記直立部材の一端は、地面係合手段に取り付けることが好ましい。前記固定手段は、該直立部材の他端に取り付けらることができる。
別法として、前記支持脚は、第１直立部材と、該第１直立部材内に摺動自在に受容された第２直立部材とで構成し、第１直立部材を地面係合手段に取り付け、第２直立部材は、その長手に沿っての所望の数の位置のうちの任意の１つの位置において第１直立部材に錠止することができるように構成する。その目的のために、第１直立部材部材に１対の互いに対向した孔を形成し、第２直立部材を前記任意の１つの位置に保持するための保持部材を第１直立部材の該１対の孔を通して挿通することができるようにすることができる。この保持部材は、ピンの形とすることができる。第２直立部材には、その長手に沿って間隔を置いて複数対の孔を形成し、各対の孔は、前記ピンを挿通することができるように互いに対向させる。かくして、第２直立部材を所望に応じて昇降させ、第２直立部材の所望の１対の孔が第１直立部材の孔に整列するように選択的に位置ぎめすることができ、それによって、ピンを第１及び第２直立部材の孔に挿通して両直立部材を錠止することができる。このピンには、それを第１直立部材に固定するためのばねクリップを設けることができる。
第１直立部材は、断面長方形とし、第２直立部材は、断面円形とすることが好ましい。第１直立部材の上端縁は、第２直立部材を安定化させるために（安定的に保持するために）半径方向内方へ折り曲げて（クリンプして）おくことができる。
使用中前記支持脚を安定化させるための安定化手段を設けることができる。好ましくは、この安定化手段は、前記直立部材の上下両端間の中央部分に取り付けた第２（別の）固定手段によって構成する。安定化手段は、互いに隣接した２個の第２固定手段によって構成することが好ましく、それらの第２固定手段追加の細長部材を挿通する。
本発明の別の側面によれば、上述した支持脚を２対設け、その第１対の支持脚と第２対の支持脚との間に細長部材を延設し、それらの細長部材の間に少くとも１つのプラットホーム部材を架け渡すことによって構成されるプラットホームを提供する。細長部材は、前記固定手段によって支持脚に固定する。
このプラットホームは、互いに隣接して配置した複数のプラットホーム部材で構成することができ、各プラットホーム部材に、それぞれ対応する孔と突起から成る協同手段を設け、各プラットホーム部材の該孔が隣接するプラットホーム部材の突起と協同してそれらのプラットホーム部材を結合状態に保持することができるように構成することができる。
各プラットホーム部材の一側縁に沿って間隔をおいて第１及び第２孔を形成し、他側縁に沿って間隔をおいて第１及び第２突起を形成し、各プラットホーム部材の該突起が隣接するプラットホーム部材の孔に受容されるように構成することができる。
別法として、支持脚に隣接して配置すべきプラットホーム部材の上面に前記固定手段の一部を受容するためのスリーブを設けることができる。
プラットホーム部材は、例えば板材のような細長い平面状部材の形とすることができる。
本発明の更に別の側面によれば、階段上にプラットホームを形成するのに使用するための支持組立体が提供される。この支持組立体は、上述した支持脚と、一端において階段の１つの段に係合するようになされている段係合部材と、該段係合部材をその一端から離隔した位置で支持するために該段係合部材に調節自在に固定されるようになされた支柱のような細長部材とから成る。
支持脚の前記直立部材は、段係合部材の一端と他端の間の部位において該段係合部材から延長させることができる。段係合部材の他端には前記支柱を固定するための第２固定手段を設けることが好ましい。この第２固定手段は、支柱を受容するように構成することができる。
この支持組立体には、安定化部材を構成する第３細長部材を前記直立部材に固定するための第３固定手段を設け、該安定化部材を該支持組立体から隣接する同様な支持組立体へ延長させることができるようにする。プレートに取り付けらることができる２つの第３固定手段を設けることが好ましい。
支持脚の直立部材に、控え部材を固定することができる。この控え部材は、直立部材から前記段にまで延長させることができる。控え部材は、細長い部材であることが好ましく、第４固定手段によって直立部材に固定するのが便利である。この第４固定手段は、控え部材を直立部材から10゜〜80゜、好ましくは30゜〜60゜の角度で延長させるように斜めに配置することができる。支持組立体は、上述した第１直立部材と第２直立部材を含むものとすることができる。
前記固定手段及び第２、第３及び第４固定手段は、それぞれ対応する前記細長部材を受容するように円形、正方形又は長方形等のＵ字形であることが好ましい。
各固定手段のＵ字形部材は、ボルトを受容するためのねじ孔を有しており、該ボルトは、Ｌ字形とすることができ、対応する前記細長部材に係合するように構成することが好ましい。
【図面の簡単な説明】
図１は、本発明による支持脚の側面図である。
図２は、図１に示された支持脚の側面図であり、固定手段の高さを調節することができる態様を示す。
図３は、図２の線III−IIIに沿ってみた図である。
図４は、図１と同様の本発明の別の実施例の図１と同様の図である。
図５は、図３の線Ｖ−Ｖに沿ってみた図である。
図６は、本発明の固定手段の拡大図である。
図７は、図１に示された複数の支持脚を組み入れたプラットホームの透視図である。
図８は、図７に示されたものの変型プラットホームの図である。
図8aは、図８の実施例に使用されるスリーブの拡大図である。
図９は、いろいろな高さの足場を有する図１及び２に示された支持システム（支持構造体）の側面図である。
図10及び10Aは、階段に使用するための複数の支持脚から成る組立体の側面図である。
図11は、図10に示された支持組立体の正面図である。
実施例の説明
図１〜３を参照すると、第１直立部材12と該第１直立部内に摺動自在に受容された第２直立部材14とで構成された支持手段と、横部材16の形とした地面係合手段とから成る本発明の第１実施例による支持脚10が示されている。図１及び２に示されるように、支持脚10は逆Ｔ字の形である。支持脚10の高さは、図１のでは例えば、500mmと800mmの間で、又は、800mmと1400mmの間で調節することができるが、支持脚10は他の任意の適当な高さとすることができる。
支持脚10は、又、Ｌ字形ボルト20とＵ字形部材22とで構成した固定手段18（図６参照）を備えている。Ｕ字形部材22は、平坦プレート23に溶接され、平坦プレート23は第２直立部材14の上端に溶接されている。
別の実施例として、第２直立部材を省除してもよく、その場合は、平坦プレート23第１直立部材12の上端に溶接する。そのような実施例の支持脚10の高さは、例えば、500mm又は800mmとすることができるが、他の任意の適当な高さとすることができる。
図６にみられるように、Ｌ字形ボルト20は、第１部分20Aと第２部分20Bを有し、第２部分20Bの端部にねじ20Cが刻設されている。ボルト20のねじ付端部20Cは、Ｕ字形部材22に形成された対応するねじ穴22Aに螺入することができる。所望ならば、ボルト20のねじ付端部20Cを初めてねじ穴22Aに螺入する際、Ｕ字形部材22からのボルト20の抜けを防止するためにボルトの先行ねじ山を変形させることができる。
使用においては、細長部材又はバー44をＵ字形部材22のＵ字開口に通した後、ねじ付きボルト20をＵ字形部材22のねじ穴22Aにねじ込んでバー44に圧接させることによりバー44を固定手段18に固定する。バー44は、隣接する支持脚110の安定化手段29にまで延長させてそれに固定し、それによって両支持脚110を結合してそれらを安定化させることができる。
第２直立部材14は、上下方向に隔置された複数対の孔24を有している。各対の孔24は、互いに対向しているが、図３には各対の孔24の一方だけしか示されていない。第１直立部材12は、互いに対向した１対の孔26を有している。第２直立部材14の複数対の孔24のうちの所望の１対を第１直立部材12の１対の孔26に整列させれば、ピン28を４つの孔24,26のすべてに通すことができ、それによって第１直立部材12を第２直立部材14に錠止することができる。かくして、異なる対の孔24を孔26に整列させ、ピン28を用いて第１直立部材12を複数の異なる高さのうちの任意の高さで第２直立部材14に錠止することができ、したが、地面からの固定手段18の高さを調節することができる。
図４及び５を参照すると、本発明の第２実施例による支持脚110が示されている。この支持脚は、その第１直立部材12が図１〜３の第１実施例のものより長く、安定化手段29を備えているという点を除いては第１実施例の支持脚とほぼ同じである。安定化手段29は、直立部材12の上下両端間の中間部分に溶接されたプレート30と、プレート30に溶接された第２及び第3U字形部材32,34と、第２及び第3U字形部材32,34にそれぞれ螺入させることができる第２及び第3L字形ねじ付きボルト36,38とで構成されている。図から分かるように、Ｕ字形部材32,34及びＬ字形ねじ付きボルト36,38は、Ｕ字形部材22及びＬ字形ねじ付きボルト20と同様のものであり、同様の態様で機能する。
図７を参照すると、複数の支持脚10と、それらの支持脚によって支持された複数の板材即ちプラットホーム部材42A〜42Eとから成るプラットホーム40が示されている。第１板材42Aは他の板材42B〜42Eより厚い。支持脚10は、プラットホーム40の４隅に配置され、図７でみて手前側の１対の支持脚10の間にバー44が延設され、向う側の１対の支持脚10の間にバー46が延設される。バー44,46は、先に述べた固定手段18（図７には示されていない）によって各支持脚10に固定される。即ち、バー44,46の両端を支持脚10の対応するＵ字形部材22に通し、Ｌ字形ボルト20をＵ字形部材22にねじ込んでバー44,46に係合させ、それらのバーをそれぞれの支持脚10に固定する。
次いで、第１板材42Aをバー44,46の上に架け渡す。図７にみられるように、第１板材42Aの先行側縁に１対の孔50が穿設されている。これらの孔50には、それぞれ第１板材42Aを所定位置に固定するのに用いられるフェルール（金環）が嵌められている。先にバー44,46を支持脚10に固定する際、Ｌ字形ボルト20の第１部分20Aがプラットホームに向けて内側を指すようにＵ字形部材22に締め付けておく。かくして、第１板材42Aをバー44,46の上に載せて図７でみて左方へ滑らせると、各ボルト20の水平な第１部分20Aが摺動する第１板材42Aの先行側縁の孔50に嵌められたフェルールに受容される。次いで、残りの板材42B〜42Eを図７に示されるようにバー44,46の上に載せる。
残りの板材42B〜42Eを所定位置に保持するために、各板材の一方の側縁に第１及び第２孔が形成され、反対側の他方の側縁に第１及び第２突起が形成されている。１つの板材の第１及び第２突起をそれと隣接する板材の第１及び第２孔に挿入して両板材を結合することができるようになされている。バー44,46上の最終（図７でみて最右端）の板材42Eは、Ｌ字形ボルト20の第１部分20Aによって所定位置に保持される。即ち、板材42Eを所定位置に配置したならば、Ｌ字形ボルト20を締め付けてその第１部分20Aをプラットホーム40の方に内方に向け、板材42Eの上面に係合させる。プラットホーム40の使用者は、必要なだけの数の板材42を用いることができる。
図８及び8aは、図７に示されたプラットホームの変型例である。この変型例では、第１板材42Aも、他の板材42B〜42Eと同じ厚さとする。そして、第１板材42Aをの先行側縁に孔50を穿設する代わりに、第１板材42Aの上面にＬ字形ボルト20の第１部分20Aを受容するための１対のスリーブ50Aを設ける。スリーブ50Aの１つが図８に詳細に示されている。各スリーブ50Aは、例えばねじ51のような適当な締着手段又は接着剤によって板材42Aに取り付けることができる。
別法として、複数の板材42A〜42Eの代わりに、適当な幅の単一のプラットホーム部材を用いてることもできる。
図９は、バー44,46をいろいろな異なる高さに支持するように配置された複数の支持脚10から成る支持システム60を示す。バー46は、バー44（符号44A,44B,44Cで示されている）の真後にあるので図９ではみられない。この支持システム60は、例えば、座席を必要とする野外コンサートやショーに用いることができる。図９でみて左側の支持脚10Aは、最も低い座席を提供する。バー44A及び46A（図示せず）は、図７、８に示されるように板材のための支持部材を構成する。中央の支持脚10Bは、中間の高さの座席を提供し、バー44B及び46B（図示せず）は板材のための支持部材を構成する。図９でみて右側の支持脚10Cは、最も高い座席を提供し、バー44C及び46C（図示せず）は板材のための支持部材を構成する。バー44A,46Aは、支持脚10Aから支持脚10B及び10Cの安定化手段29を通して延設され、支持システム60の中央及び右側部分を安定化させる。
図９の左側の支持脚10Aは、図１、２に示されるような支持脚であり、その第２直立部材14を最下位置にしてある。中央の支持脚10Bは、図４、５に示されるような支持脚であり、その第２直立部材14をやはり最下位置にしてある。図９の右側の支持脚10Cは、図４、５に示されるような支持脚であり、その第２直立部材14を上昇位置にセットしてある。バー44,46の上に載せられる板材は、図を簡略するために省略されている。
本発明の範囲から逸脱することなくいろいろな変型が可能である。例えば、上述したＵ字形部材のＵ字形は、ほぼ正方形であってもよい。
変型実施例の更に別の１例は、例えば壁紙張り作業に適するようなベンチの一部として支持脚10を用いる例である。そのような例では、支持脚10の間に複数の板材42の代わりに単一のボード（板）を配設する。例えば壁紙張り作業に使用するには、そのようなボードは、幅2.5ft（76.2cm）、長さ5ft（152.4cm）とすることができる。ボードは、例えば3/4in（1.905cm）の厚さの合板で形成することができる。ボードの一方の面にその一方の長手側縁に近接したところにボードと同じ長さのフレーム材を接着剤又はねじによって付設する。フレーム材の厚さは2in（5.08cm）、幅は5in（12.7cm）とすることができる。ボードの該一方の面にその他方の長手側縁に近接したところにボードと同じ長さの合板ストリップを付設することができる。この合板ストリップの厚さは3/4in（1.905cm）、幅は3in（7.62cm）とすることができる。かくして、ボードの一方の面に、そのフレーム材と合板ストリップとの間に凹部が形成される。この凹部は、幅約22in（55.88cm）であり、壁紙のロールをそれに糊を塗布するために受容するのに十分な幅である。
ボードの一方の長手側縁には、Ｌ字形ボルト20の水平な第１部分20Aを受容するフェルールを嵌めるための２つの穴を穿設することができる。あるいは別法として、図８に示されるように、ボードの上面に一方の長手側縁に近接したところで、Ｌ字形ボルトの水平な第１部分20Aを受容するスリーブを取り付けてもよい。
図10、10A及び11を参照すると、本発明の更に別の変型例として、プラットホームを階段上に設置することを可能にする支持組立体110が示されている。支持組立体110は、前側（図10、10Aでみて右側）に配置される１対の支持脚112,114と、後側（図10、10Aでみて左側）に配置される１対の支持脚162,164とから成る。各支持脚112,114,162,164は、第１直立部材116と該第１直立部内に摺動自在に受容された第２直立部材117とから成る。第１直立部材116は、階段の１つの段120に係合するための横断部材又は段係合部材118に連結されている。各横断部材118の一端には、該横断部材を階段の段120に係合するための大きな表面を提供するプレート122が取り付けられている。
図から分かるように、各第１直立部材116は、その横断部材118が係合する段120の上方位置で該横断部材118から立上るように横断部材118の中心から偏倚した位置で横断部材118から延長している。
各第１直立部材116の、プレート122のある側とは反対側の端部には、支柱126を受容するようになされたＵ字形部材124が設けられている。（Ｕ字形部材124のＵ字形は、正方形又は円形であってもよい。）Ｕ字形部材124は、先に説明したＵ字形部材と同じであり、やはり先に説明したようになＬ字形とすることができるボルト128を受容するねじ孔を備えている。ボルト128は、Ｕ字形部材124のねじ孔にねじ込むことによって支柱126に係合させて支柱を横断部材118に固定することができ、それによってそれぞれの支持脚112,114を支持する。支柱126の側壁には、Ｕ字形部材124に追加の支持を与えるためにＵ字形部材124の下面に係合させることができるピン132を通すための複数の孔130を上下方向に間隔を置いて穿設することができる。
安定化部材134が支持脚112と114の間に延設され、それぞれの支持脚の第１直立部材116に付設されたＵ字形部材136,138によって各支持脚に固定される。Ｕ字形部材136,138は、先に説明したＵ字形部材32,34と同様のものであり、同様の態様で機能する。
控え部材144が、各直立部材116から斜め下方へ横断部材118によって係合されている段120の上の段146にまで延設されている。直立部材116に対する控え部材144の角度は、30゜〜60゜の範囲である。
各直立部材116には、対応する控え部材144を受容するように斜めに角度を付された第4U字形部材147が付設されており、各控え部材144をそれぞれ対応する第4U字形部材147に固定するためのボルト148が設けられている。
各第２直立部材117は、上下方向に隔置された複数対の対向した孔150を有している。第１直立部材116は、互いに対向した１対の孔152を有している。第２直立部材117の複数対の孔150のうちの所望の１対を第１直立部材116の１対の孔152に整列させて、ピン154をそれらの孔に通すことにより第１直立部材116を第２直立部材117に対して所望の位置に錠止することができる。かくして、第２直立部材117の上端の高さを調節することができる。
図６及び７に示されるバー44と同様の態様で２つの支持脚112と114と間に延設されるバー158を受容するためのＵ字形部材156が各第２直立部材117の上端に溶接されている。バー158は、先にバー44に関連して説明したのと同様の態様で、Ｌ字形ボルト160をＵ字形部材156のねじ孔に螺入することによって支持脚112,114に固定することができる。
追加の対の支持脚162,164が、段120より高い段166上に立設される。追加の対の支持脚162,164も、支持脚112,114と同じであり、同じ部材は同じ参照番号で示されている。追加の対の支持脚162,164の第２直立部材117の高さは、その上端のＵ字形部材156が、支持脚112,114の第２直立部材117の上端のＵ字形部材156と同じ高さとなるように調節される。
第１対の支持脚112,114のバー158と追加の対の支持脚162,164のバー158との間に複数の板材166が架け渡され、図８、8aの実施例の場合と同様に、両側の板材166の上面に付設された適当なスリーブにＬ字形ボルト160を係合させることによって板材を所定位置に保持する（図10A参照）。
板材166に追加の支持を与えるために更に１対の支持脚10（先に説明した支持脚10と同様のもの）を階段の頂部踊り場170に立設することができる。支持脚10と10の間にバー44を延設し、それらのバーの上に板材166を載せることができる。かくして、階段に設置されたプラットホーム（２つの支持組立体110とそれらの間に架け渡された板材166から成る）へ踊り場170からアクセスすることができる。図10Aの例では、支持脚10と、図10Aでみて最右側の支持組立体110との間に追加の支持組立体110が設けられているが、支持脚10と最右側の支持組立体110との間の距離が余り長くない場合は、支持脚10の最右側の支持組立体110との間の中間に追加の支持組立体110を設ける必要がない。
支持脚10を運ぶために、細長部材44と同様の断面形状の短い管を用いることができる。図８及び8aにみられるように、複数の、例えば４つの支持脚10が設けられる例は多々ある。その場合、短い管を各支持脚10のＵ字形部材22に挿入し、ボルト20をねじ込んで該短い管に圧着させて固定することができる。かくして、４つの支持脚10をまとめて運ぶためにボルト20をハンドルとして用いることができる。
上述した本発明の支持脚の１つの利点は、多種多様の目的のためのプラットホームを構成することができることである。例えば、本発明の支持脚によって構築されたプラットホームは、作業ベンチ、トレッスル、床、屋台、仮設座席のための棚等として使用することができる。ここに挙げた用途の例は、すべての用途を網羅したものではなく、本発明の支持脚を応用することができる用途は他にも多々存在することは明らかであろう。
【図１】
0003616640.tif 000002
【図２】
0003616640.tif 000003
【図３】
0003616640.tif 000004
【図５】
0003616640.tif 000005
【図４】
0003616640.tif 000006
【図６】
0003616640.tif 000007
【図７】
0003616640.tif 000008
【図８】
0003616640.tif 000009
【図８ａ】
0003616640.tif 000010
【図９】
0003616640.tif 000011
【図１０】
0003616640.tif 000012
【図１０Ａ】
0003616640.tif 000013
【図１１】
0003616640.tif 000014